(57)【要約】【課題】簡単に継合部の挿脱操作ができると共に継ぎ合わせが緩んでも竿杆の落下を防止できる釣竿を提供する。【解決手段】繊維強化樹脂製第１竿杆１２の雄型継合部１２Ｔを、繊維強化樹脂製第２竿杆１０の雌型継合部１０Ｔに対して該雌型継合部の先端から挿入して継ぎ合わせる継合部構造を有する釣竿であって、各継合部領域又はその近くにおいて、一方の竿杆１２に凹部１２Ｋを設け、他方の竿杆１０に凸部１０Ｋを設け、該凹部と該凸部とは、前記第１竿杆と第２竿杆との継ぎ合わせ状態の第１の位置では互いに係合しているが、前側の竿杆１２が抜け落ちる方向の移動を規制せず、前記第１の位置から前側の竿杆が抜け落ちる方向に移動した第２の位置において、前側の竿杆が抜け落ちる移動を規制し、前記凹部と凸部との係合高さ方向の重なり寸法は、継ぎ合わせる途中の両竿杆の押圧作用による各竿杆の断面形状と寸法の弾性変形可能範囲内であるよう構成する。【選択図】図４
2009201446.tif 000002
【特許請求の範囲】
【請求項１】
繊維強化樹脂製第１竿杆の雄型継合部を、繊維強化樹脂製第２竿杆の雌型継合部に対して該雌型継合部の先端から挿入して継ぎ合わせる継合部構造を有する釣竿であって、
各継合部領域又はその近くにおいて、一方の竿杆に凹部を設け、他方の竿杆に凸部を設け、該凹部と該凸部とは、前記第１竿杆と第２竿杆との継ぎ合わせ状態の第１の位置では互いに係合しているが、前側の竿杆が抜け落ちる方向の移動を規制せず、前記第１の位置から前側の竿杆が抜け落ちる方向に移動した第２の位置において、前側の竿杆が抜け落ちる移動を規制し、
前記凹部と凸部との係合高さ方向の重なり寸法は、継ぎ合わせる途中の両竿杆の押圧作用による各竿杆の断面形状と寸法の弾性変形可能範囲内である
ことを特徴とする釣竿。
【請求項２】
第１竿杆が穂先竿、第２竿杆が穂持竿であり、
穂持竿の雌型継合部内面に、その前後位置の領域に比べて内方に突出した環状凸部を全周に亘って設け、
穂先竿の雄型継合部外面に、その前後位置の領域に比べて窪み、前記環状凸部に係合できる環状凹部を設けている
請求項１記載の釣竿。
【請求項３】
第１竿杆が穂先竿、第２竿杆が穂持竿であり、
穂持竿の雌型継合部内面に、その前後位置の領域に比べて内方に突出した凸部を１箇所又は円周方向に離散させて複数箇所設け、
穂先竿の雄型継合部外面に、その前後位置の領域に比べて窪み、前記凸部と係合できる凹部を設けている
請求項１記載の釣竿。
【請求項４】
第１竿杆が穂先竿、第２竿杆が穂持竿であり、
穂持竿の雌型継合部の先端部に、先方に延伸し、該穂持竿本体よりも大きな弾性変形が可能な部材製の筒部材を装着させ、その内面に凹部を設けており、
穂先竿の雄型継合部の近傍前側には、前記凹部に係合できる凸部を設けている
請求項１記載の釣竿。
【発明の詳細な説明】
【技術分野】
【０００１】
本発明は、振出式以外の、即ち、並継式、逆並継式又はインロー継式の継合部構造を有する釣竿に関し、特に、穂先竿と穂持竿との継合部構造に特徴を有する釣竿に関する。
【背景技術】
【０００２】
イカを釣る竿としてのエギング竿では、竿先端を細かくシャクルような操作を行ってイカを誘う。また、一般のキャスティング用の竿では、仕掛けをポイントに投入するためにキャスティング動作をするが、この動作を頻繁に行う。ルアー竿でもキャスティング竿と同様にルアーを投入するためにキャスティング動作を繰り返す。こうした釣竿を振る操作を繰り返すと、振出式以外の継合部においては、その継合部が緩んで先側の竿杆を落下させることになる。特に、先端の細い穂先竿が穂持竿から抜け出す虞が高くなる。そうした事態に対して何らの対策がなければ、穂先竿を落とし、それを回収できなければ釣りを中止せざるを得なくなる上、費用的にも大きな痛手となる。
下記特許文献には、ネジを使用して前後竿杆の抜けを防止した構造が開示されている。
【特許文献１】実開昭４８−４１７８２号公報
【発明の開示】
【発明が解決しようとする課題】
【０００３】
然しながら、ネジを使用した抜け止め構造では、前後竿杆の継ぎ合わせ操作や取り外し操作に時間を要する他、竿杆以外に２つの補強用リングと１つの環体とを必要とし、部品数が多くなるという欠点もある。
依って解決しようとする課題は、簡単に継合部の挿脱操作ができると共に継ぎ合わせが緩んでも竿杆の落下を防止できる釣竿を提供することである。また、部品点数を少なくすることである。
【課題を解決するための手段】
【０００４】
第１の発明では、繊維強化樹脂製第１竿杆の雄型継合部を、繊維強化樹脂製第２竿杆の雌型継合部に対して該雌型継合部の先端から挿入して継ぎ合わせる継合部構造を有する釣竿であって、各継合部領域又はその近くにおいて、一方の竿杆に凹部を設け、他方の竿杆に凸部を設け、該凹部と該凸部とは、前記第１竿杆と第２竿杆との継ぎ合わせ状態の第１の位置では互いに係合しているが、前側の竿杆が抜け落ちる方向の移動を規制せず、前記第１の位置から前側の竿杆が抜け落ちる方向に移動した第２の位置において、前側の竿杆が抜け落ちる移動を規制し、前記凹部と凸部との係合高さ方向の重なり寸法は、継ぎ合わせる途中の両竿杆の押圧作用による各竿杆の断面形状と寸法の弾性変形可能範囲内であることを特徴とする釣竿を提供する。
本願の（雄型又は雌型）継合部は、第１と第２の竿杆が互いに挿入されて継ぎ合わされた状態、即ち、上記第１の位置における竿杆同士の重合領域全体に対応する部分を言う。
【０００５】
第２の発明では、第１の発明の第１竿杆が穂先竿、第２竿杆が穂持竿であり、穂持竿の雌型継合部内面に、その前後位置の領域に比べて内方に突出した環状凸部を全周に亘って設け、穂先竿の雄型継合部外面に、その前後位置の領域に比べて窪み、前記環状凸部に係合できる環状凹部を設ける。
【０００６】
第３の発明では、第１の発明の第１竿杆が穂先竿、第２竿杆が穂持竿であり、穂持竿の雌型継合部内面に、その前後位置の領域に比べて内方に突出した凸部を１箇所又は円周方向に離散させて複数箇所設け、穂先竿の雄型継合部外面に、その前後位置の領域に比べて窪み、前記凸部と係合できる凹部を設ける。
【０００７】
第４の発明では、第１の発明の第１竿杆が穂先竿、第２竿杆が穂持竿であり、穂持竿の雌型継合部の先端部に、先方に延伸し、該穂持竿本体よりも柔軟な部材製の筒部材を装着させ、その内面に凹部を設けており、穂先竿の雄型継合部の近傍前側には、前記凹部に係合できる凸部を設ける。
【発明の効果】
【０００８】
第１の発明では、第１竿杆と第２竿杆との継ぎ合わせ状態の第１の位置では互いに係合はしているが、前側の竿杆が抜け出る方向の移動を規制せず、前記第１の位置から前側の竿杆が抜け落ちる方向に移動した第２の位置において、前側の竿杆が抜け落ちる移動を規制する凸部と凹部とを各竿杆に設けているため、各竿杆が継ぎ合わされた状態（第１の位置）が緩んで、前側竿杆が抜け落ちようとしても、第２の位置において落ちる方向の移動が規制されるため、落下が防止できる。また、凹部と凸部との係合高さ方向の重なり寸法は、継ぎ合わせる途中での両竿杆の押圧作用による各繊維強化樹脂製竿杆の断面形状と寸法の弾性変形可能範囲内であるため、継ぎ合わせが可能である。
【０００９】
第２の発明は、凸部と凹部が全周に亘る環状である形態の場合である。
第３の発明は、凸部が一箇所以上あって凹部が凸部と同数の他、凸部の数に拘わらず、凹部が全周に亘る環状凹部の形態も含まれる。穂持竿内の凸部の形成は芯金で容易に可能であり、穂先竿外周の凹部が環状凹部以外の場合では、フライス加工によって個々の凹部を容易に形成できる。また、穂持竿内の凸部を環状凸部の場合と比べると、各凸部に隣接した凹部の存在により両竿杆を継ぎ合わせる途中での凸部の弾性変形が容易であるため、円滑に継ぎ合わせが可能となる。更には、穂先竿外周の凹部が環状凹部以外の場合では、各竿杆を相対回転させて、凸部と凹部との係合を外した状態で抜き差しが可能となり、凸部と凹部の摩耗を防止できる。
【００１０】
第４の発明では、穂持竿の先端部に、穂持竿本体よりも大きな弾性変形が可能な部材製の筒部材を装着させ、その内面に凹部を設け、穂先竿を継ぎ合わせる挿入をする際に穂先竿の凸部を凹部内に挿入し易いようにしている。この場合も、穂先竿が抜け落ちようとする場合には、凸部が凹部に引っ掛かる。また、穂持竿とは別部材の大きな弾性変形の可能な筒部材を使用するため、穂持竿の製造が容易になる。更には、筒部材は穂持竿よりも弾性変形が大きいため、穂先竿の雄型継合部の摩耗を防止できる。
【発明を実施するための最良の形態】
【００１１】
以下、本発明を添付図面を用いて更に詳細に説明する。図１は本発明に係る釣竿の例としてのキャスティング竿の側面図であり、図２はその継ぎ合わせを外した分解部分図、図３は両継合部付近の斜視図、図４は図３の両継合部付近の部分断面による側面図、図５は図４の状態と異なり、継ぎ合わせた状態（第１の位置）の図、図６は図５の継ぎ合わせ状態が緩んで抜け落ちかかった状態（第２の位置）の図である。
【００１２】
この釣竿は、エポキシ樹脂をマトリックスとし、炭素繊維を主たる強化繊維とした繊維強化樹脂製の第２竿杆としての元竿１０の雌型継合部１０Ｔに、エポキシ樹脂をマトリックスとし、炭素繊維を主たる強化繊維とした繊維強化樹脂製の第１竿杆としての穂先竿１２の雄型継合部１２Ｔを、図５に継ぎ合わせ状態（第１の位置）を示すように、並継式に継ぎ合わせて使用する。各竿杆には適宜位置に釣糸用の外ガイドＧが配設されており、元竿適宜位置には両軸受け型リールＲが保持固定されている。
【００１３】
この例では、図５の継合部Ｔの範囲である雄型継合部１２Ｔの領域内に環状凹部１２Ｋを設け、この環状凹部は、後方側壁面を穂先竿後端部のリング部１２Ｈで形成し、前方側壁面は、穂先竿と元竿とを継ぎ合わせた場合（第１の位置状態）に、その継合力を発生させる雄型継合部１２Ｔの雄型嵌合面１２ｔを有する嵌合部により形成している。環状凹部は、穂先竿１２を旋盤等で研削して形成できる他、穂先竿を型成形してもできる。
【００１４】
一方、雌型継合部１０Ｔの領域内に環状凸部１０Ｋを設けており、その前方位置に、第１の位置状態において前記雄型嵌合面１２ｔと嵌合し合う雌型嵌合面１０ｔを設けている。前記リング部１２Ｈの外径はこの雌型嵌合面１０ｔの内径よりも小さい。また、環状凸部１０Ｋの内径よりは幾分大きい。環状凸部１０Ｋは元竿成形時に、芯金を前後２分割したり、また、分割することなく成形可能である。雌型継合部１０Ｔの中に雄型継合部１２Ｔを挿入して行くと、リング部１２Ｈの面取りしている後端縁部１２ａが環状凸部１０Ｋの傾斜状の前端面１０ａに当接しつつ雌型継合部１０Ｔを拡径させる（穂先竿１２が中実でなくて管部材の場合は、リング部の方も縮径する）。そしてリング部１２Ｈが環状凸部１０Ｋを通過して図５の継ぎ合わせ状態になる。従って、環状凸部１０Ｋの内径とリング部１２Ｈの外径との差は、半径部分において、弾性変形によって環状凸部１０Ｋを通過できる範囲内であり、（２〜３／１００）ｍｍである。
【００１５】
また、上記第１の位置状態では、図５に図示の如く環状凹部１２Ｋと環状凸部１０Ｋとは互いに係合しているといえるが、第１の位置状態を保持する力は全く発生していない。この継ぎ合わせ状態で釣りを行い、キャスティング動作を繰り返す。こうした釣竿を振る操作を繰り返す間に、この継ぎ合わせ状態が緩むことがある。その場合、穂先竿１２は元竿１０から抜け落ちようと移動するが、図６に示すように、リング部１２Ｈの面取りした前端縁部１２ｂが環状凸部１０Ｋの傾斜状の後端面１０ｂに引っ掛かり、規制する。この位置が第２の位置である。従って、穂先竿の落下が防止される。また、穂先竿１２を所定力で引けば、両竿杆の弾性によって抜き去ることができる。
【００１６】
上記第１の位置での継合力と第２の位置での規制力は前者の方が大きい。
上記形態例と異なり、環状凸部１０Ｋに代わって円周方向における一部分に設けた１個又は複数個の凸部としてもよい。
【００１７】
図７は継合部の他の形態例を斜視図で示しており、主に図６までの第１形態例と異なる事項を説明する。穂先竿１２に設けた凹部１２Ｋ’は、その円周方向中央部が最も深く、そこから円周方向に離隔した両縁が最も浅い（深さ０）図示の如き形態であり、この凹部は環状ではなくて、ここでは１８０度離隔して合計２個設けられている。また、元竿１０には、前記凹部の形状に対応した三日月形状であって、１８０度離隔して合計２個の凸部１０Ｋ’が設けられている。凹部１２Ｋ’はフライス加工等によって形成できる。凹部１２Ｋ’の後方側壁面を端部１２Ｈ’で形成しており、前方側壁面は、穂先竿と元竿とを継ぎ合わせる継合力を発生させる雄型継合部１２Ｔの雄型嵌合面１２ｔを有する嵌合部により形成している。
【００１８】
雌型継合部１０Ｔの領域内に１対の凸部１０Ｋ’を設けており、その前方位置に、第１の位置状態において前記雄型嵌合面１２ｔと嵌合し合う雌型嵌合面１０ｔを設けている。継ぎ合わせ挿入する過程や抜け落ちようとする過程は第１の形態例と同様であるが、穂先竿が抜け落ちようとする途中に、凹部１２Ｋ’の後方側壁面を成す端部１２Ｈ’と凸部１０Ｋ’との引っ掛かり規制によって抜け落ちが防止される。この第２の位置状態から穂先竿を積極的に抜き去る場合、穂先竿と元竿との円周方向位置関係を、この例の場合は９０度変えて抜き去ることもできる。
【００１９】
この回転操作は、雌型継合部１０Ｔ（と雄型継合部１２Ｔと）を弾性変形させながら、三日月状の凸部１０Ｋ’の円周方向縁部を、凹部１２Ｋ’に対して円周方向に隣接した環状領域に乗り上げることで可能となり、その乗り上げ状態で抜き去ればよい。こうすることで、端部１２Ｈ’と凸部１０Ｋ’との引っ掛かり、摩耗を防止できる。また、こうした回転角度の目印として、元竿１０先端部外周の目印ＭＪ１と、穂先竿１２外周の目印ＭＪ２とを設けておき、それらが直線に揃う位置に来るまで相対回転させればよい。
【００２０】
上記例では、凹部や凸部を２個ずつとしたが、それらの数は任意である。
図８は本発明に係る他の形態例の両継合部付近の部分断面による側面図であり、図４に対応する。図９は継ぎ合わせた状態（第１の位置）の図であり、図５に対応する。穂先竿１２の雄型継合部１２Ｔの直ぐ前に環状凸部１２Ｋ”が設けられている。一方、元竿１０の雌型継合部１０Ｔの先端部外側に、繊維強化樹脂材よりも弾性変形の大きなゴム材等の部材で作成した筒部材１４を装着している。雌型継合部の前側の筒部材内周に環状凹部１４Ｋを設けている。この環状凹部の先方側壁面は、該筒部材先端部のリング部１４Ｈが形成している。前記環状凸部１２Ｋ”の外径は、このリング部の内径よりも大きく、環状凹部の内径よりも小さい。
【００２１】
筒部材の中に環状凸部１２Ｋ”を押し込みつつ継ぎ合わせて第１の位置状態にしたものが図９であり、継合力は雄型継合部１２Ｔの雄型嵌合面１２ｔと、雌型継合部１０Ｔの雌型嵌合面１０ｔとの嵌合で発生する。この場合、環状凸部１２Ｋ”と環状凹部１４Ｋとは係合関係にあるが、継合力は発生していない。この状態から継ぎ合わせが緩んで抜け落ちようとしても、環状凸部１２Ｋ”がリング部１４Ｈに係止して規制され、抜け落ちが防止される。
【００２２】
図８の形態例のように構成すれば、環状凸部１２Ｋ”と環状凹部１４Ｋとの凹凸係合高さ方向の重なり寸法を大きくでき、穂先竿の抜け落ちを効果的に防止できる。
上記の環状凸部１２Ｋ”が環状でなく、部分的な凸部であっても良いことは勿論であり、環状凹部１４Ｋも前記部分的な凸部に対応した部分的な凹部でも良く、リング部１４Ｈも全周に亘る環状でなくて部分的でもよい。
以上の例の釣竿は２本継ぎであるが継数は任意であり、竿種も既述の通りのものがある。更には、並継式でなくても、逆並継式やインロー継式のものでもよい。
【産業上の利用可能性】
【００２３】
本発明は、並継式、逆並継式又はインロー継式の継合部構造を有する釣竿に利用できる。特に、イカ釣用のエギング竿、又はルアー竿や投竿等のキャスティング動作を伴う竿に利用できる。
【図面の簡単な説明】
【００２４】
【図１】図１は本発明に係る釣竿の例としてのキャスティング竿の側面図である。
【図２】図２は継ぎ合わせを外した分解部分図である。
【図３】図３は両継合部付近の斜視図である。
【図４】図４は図３の両継合部付近の部分断面による側面図である。
【図５】図５は図４の状態と異なり、継ぎ合わせた状態（第１の位置）の図である。
【図６】図６は図５の継ぎ合わせ状態が緩んで抜け落ちかかった状態（第２の位置）の図である。
【図７】図７は継合部の他の形態例を示す斜視図である。
【図８】図８は本発明に係る他の形態例の両継合部付近の部分断面による側面図である。
【図９】図９は図８の竿杆同士を継ぎ合わせた状態の部分断面図である。
【符号の説明】
【００２５】
１０Ｔ                              雌型継合部
１０ｔ                              雌型嵌合面（第１の位置形成）
１２Ｔ                              雄型継合部
１２ｔ                              雄型嵌合面（第１の位置形成）
１０Ｋ，１０Ｋ’，１２Ｋ”            （環状）凸部
１２Ｋ，１２Ｋ’，１４Ｋ              （環状）凹部
１４                                筒部材
Ｔ                                  継合部
【図１】
2009201446.tif 000003
【図２】
2009201446.tif 000004
【図３】
2009201446.tif 000005
【図４】
2009201446.tif 000006
【図５】
2009201446.tif 000007
【図６】
2009201446.tif 000008
【図７】
2009201446.tif 000009
【図８】
2009201446.tif 000010
【図９】
2009201446.tif 000011